(57)【要約】【課題】バッテリーポストに対する取り付けの信頼性を向上させる。【解決手段】バッテリー端子１０は、金属板からなる端子本体２０を備え、端子本体２０は、円錐台形のバッテリーポスト６０におけるテーパ状の外周面に取り付けられる弧状の締付部２５と、締付部２５の両端から外側に突出する一対の突出部２６Ｌ、２６Ｒとを有する。ボルト８０とナット９０の締め付けによって一対の突出部２６Ｌ、２６Ｒを接近させることにより、締付部２５が縮径変形して、端子本体２０がバッテリーポスト６０に取り付けられる。締付部２５は、全体がバッテリーポスト６０の軸線Ａと平行に直立する形態とされ、バッテリーポスト６０の基端側の外周面に当接する周端３８を有している。【選択図】図１
2016126828.tif 000002
【特許請求の範囲】
【請求項１】
金属板からなる端子本体を備え、前記端子本体は、円錐台形のバッテリーポストにおけるテーパ状の外周面に取り付けられる弧状の締付部と、前記締付部の両端から外側に突出する一対の突出部とを有し、
前記一対の突出部にはボルトが貫通し、前記ボルトにはナットが螺合され、前記締付部の内側に前記バッテリーポストを配置した状態で、前記ボルトと前記ナットを締め付けて前記一対の突出部を接近させることにより、前記締付部が縮径変形して、前記端子本体が前記バッテリーポストに取り付けられるものであって、
前記締付部は、全体が前記バッテリーポストの軸線と平行に直立する形態とされ、前記バッテリーポストの基端側の外周面に当接する周端を有していることを特徴とするバッテリー端子。
【請求項２】
前記締付部の前記周端が、前記バッテリーポストの基端側の外周面に線接触状態で当接することを特徴とする請求項１記載のバッテリー端子。
【発明の詳細な説明】
【技術分野】
【０００１】
本発明は、バッテリー端子に関する。
【背景技術】
【０００２】
特許文献１に開示のバッテリー端子は、金属板を曲げ加工等して成形されるものであって、バッテリーポストを包囲する弧状締付部（締付部）と、弧状締付部の両端から外側に突出する一対の板状突出部（突出部）と、両板状突出部を貫通するボルトと、ボルトに螺合されるナットとを備えている。弧状締付部の内側にバッテリーポストを配置した状態で、ボルトとナットとを締め付けて一対の板状突出部を接近させることにより、弧状締付部が縮径変形して、バッテリー端子がバッテリーポストに取り付けられるようになっている。ここで、バッテリーポストは円錐台形をなし、弧状締付部もバッテリーポストに対応した円錐台形をなしている。
【先行技術文献】
【特許文献】
【０００３】
【特許文献１】特開２０１０−３３７８３号公報
【発明の概要】
【発明が解決しようとする課題】
【０００４】
ところで、上記従来のバッテリー端子においては、ボルトとナットの締め付けに伴い弧状締付部がバッテリーポストの外周面と平行に縮径して、弧状締付部の内周面がバッテリーポストの外周面に面接触状態で当接することが理想とされている。しかし、作業性等を考慮して、ボルトとナットの締付方向がバッテリーポストの軸線の方向（上下方向）と交差する斜め方向に設定されると、ボルトとナットの締め付けに伴い弧状締付部の両端が上下方向に位置ずれするようにねじれ変形することがある（図４を参照）。その点、特許文献１においては、両突出部に設けられたガイドと摺接部との当接作用により、弧状締付部の両端が上下方向に位置ずれしにくい構造になっているが、そうしたガイドと摺接部とを設けることができない事情がある場合には弧状締付部のねじれ変形を回避することが困難になる。仮に、弧状締付部がねじれ変形すると、上方に位置ずれする弧状締付部の片側部分がバッテリーポストの外周面から離間し、バッテリーポストに対する取り付けの信頼性が低下する懸念がある。
【０００５】
本発明は上記のような事情に基づいて完成されたものであって、バッテリーポストに対する取り付けの信頼性を向上させることが可能なバッテリー端子を提供することを目的とする。
【課題を解決するための手段】
【０００６】
本発明のバッテリー端子は、金属板からなる端子本体を備え、前記端子本体は、円錐台形のバッテリーポストにおけるテーパ状の外周面に取り付けられる弧状の締付部と、前記締付部の両端から外側に突出する一対の突出部とを有し、前記一対の突出部にはボルトが貫通し、前記ボルトにはナットが螺合され、前記締付部の内側に前記バッテリーポストを配置した状態で、前記ボルトと前記ナットを締め付けて前記一対の突出部を接近させることにより、前記締付部が縮径変形して、前記端子本体が前記バッテリーポストに取り付けられるものであって、前記締付部は、全体が前記バッテリーポストの軸線と平行に直立する形態とされ、前記バッテリーポストの基端側の外周面に当接する周端を有しているところに特徴を有する。
【発明の効果】
【０００７】
仮に、端子本体に、両締付部の端部がバッテリーポストの軸線の方向に位置ずれするようなねじれ力が作用しても、上記構成によれば、締付部が全体としてバッテリーポストの軸線と平行に直立する形態とされ、締付部の周端がバッテリーポストの基端側の外周面に当接するようになっているため、締付部の周方向の一部がバッテリーポストの外周面から離間する等といった事態を回避することができる。その結果、バッテリーポストに対するバッテリー端子の取り付けの信頼性を向上させることができる。
【図面の簡単な説明】
【０００８】
【図１】本発明の実施例に係るバッテリー端子がバッテリーポストに取り付けられた状態を示す正面図である。
【図２】図１における締付部が縦断された状態を示す正面図である。
【図３】バッテリー端子の平面図である。
【図４】実施例とは別の形態の問題点を示す図２相当図である。
【発明を実施するための形態】
【０００９】
本発明の好ましい実施形態を以下に示す。
前記締付部の前記周端が、前記バッテリーポストの基端側の外周面に線接触状態で当接する。これによれば、バッテリーポストに対する締付部の締付状態にばらつきが生じにくく、ボルトとナットの締付トルクを一定に管理することができる。
【００１０】
＜実施例＞
以下、実施例を図面に基づいて説明する。実施例に係るバッテリー端子１０は、バッテリーポスト６０に電線７０を接続するためのものであり、図１に示すように、導電性の金属板からなる端子本体２０と、ボルト８０と、ナット９０とを備えている。なお、以下の説明において、前後方向については、図３の下側を前側とし、上下方向については、図１及び図２を基準とする。
【００１１】
バッテリーポスト６０は、図１に示すように、バッテリー本体６１の上面の台座６２から突出する円錐台形をなし、鉛等の比較的軟らかい材料で形成されている。バッテリーポスト６０の外周面は、上方へ行くに従って縮径するテーパ状をなしている。
【００１２】
図３に示すように、端子本体２０は、電線７０を接続するための電線接続部２１と、バッテリーポスト６０に固定するためのポスト接続部２２とからなる。電線接続部２１とポスト接続部２２は、端子本体２０を構成する一枚の金属板を曲げ加工することで一体に成形されている。
【００１３】
図３に示すように、電線接続部２１は、前後方向に延びる基板部２３と、基板部２３の左右両側縁から下方に突出する一対の圧着片２４（詳細には図示せず）とからなる。基板部２３に電線７０の導体７１が設置された状態で、電線７０の導体７１に対して両圧着片２４が圧着により接続されるようになっている。
【００１４】
図３に示すように、ポスト接続部２２は、平面視弧状（平面視Ｃ字状）の締付部２５と、締付部２５の周方向の両端（開口端）から突出する一対の板片状の突出部２６Ｌ、２６Ｒとからなる。図１に示すように、締付部２５は、バッテリーポスト６０に上方から外嵌され、後述するボルト８０とナット９０の締め付けに伴い縮径変形することで、バッテリーポスト６０の外周面に周方向に沿って当接する。図３に示すように、締付部２５のうち、突出部２６Ｌ、２６Ｒが連なる部分とは反対側の部分（後端部）の上端には、電線接続部２１の基板部２３の前端が一体に連結されている。なお、締付部２５の具体的な形状については後述する。
【００１５】
図１に示すように、両突出部２６Ｌ、２６Ｒは、互いに平行に配置され、且つ、バッテリーポスト６０の軸線Ａの方向（上下方向）に対してやや斜めに傾いて配置されている。両突出部２６Ｌ、２６Ｒには、円形の貫通孔２７が同軸で貫通して設けられている（図３を参照）。両突出部２６Ｌ、２６Ｒの貫通孔２７にはボルト８０の軸部８１が挿通される。
【００１６】
図１に示すように、両突出部２６Ｌ、２６Ｒのうち、図１の向かって左側に位置する突出部（以下、一側突出部２６Ｌという）は、その外側面が上向きに傾斜して配置され、図１の向かって右側に位置する突出部（以下、他側突出部２６Ｒという）は、その外側面が下向きに傾斜して配置されている。一側突出部２６Ｌには、その上縁から内側（他側突出部２６Ｒの位置する側）へ突出するように屈曲する第１屈曲片２８が設けられ、他側突出部２６Ｒには、その下縁から内側（一側突出部２６Ｌの位置する側）へ突出するように屈曲する第２屈曲片２９が設けられている。また、一側突出部２６Ｌには、その下縁から外側（他側突出部２６Ｒの位置する側とは反対側）へ突出するように屈曲する第３屈曲片３１が設けられ、他側突出部２６Ｒには、その上縁から外側（一側突出部２６Ｌの位置する側とは反対側）へ突出するように屈曲する第４屈曲片３２が設けられている。
【００１７】
そして、図１に示すように、一側突出部２６Ｌの外側面には、ワッシャ５０を介してナット９０が支持され、他側突出部２６Ｒの外側面には、ボルト８０の頭部８２が当接して配置される。
ここで、ボルト８０の軸部８１が両突出部２６Ｌ、２６Ｒの貫通孔２７を貫通し、軸部８１の先端部がナット９０に浅く螺合した状態で、ナット９０に対して斜め上方から図示しないインパクトレンチ等が嵌合して締め付けられると、両突出部２６Ｌ、２６Ｒが互いに接近し、それに伴い締付部２５が縮径変形して、端子本体２０がバッテリーポスト６０に取り付け固定されるようになっている。このとき、第１屈曲片２８の先端が他側突出部２６Ｒに当接し、さらに第２屈曲片２９の先端が一側突出部２６Ｌに当接可能となることにより、両突出部２６Ｌ、２６Ｒのそれ以上の接近動作が規制される。また、第３屈曲片３１がワッシャ５０に当接することでワッシャ５０の連れ回りが規制され、且つ、第４屈曲片３２が頭部８２に当接することでボルト８０の連れ回りが規制される。
【００１８】
さて、図１及び図２に示すように、締付部２５は、全体がバッテリーポスト６０の軸線Ａに平行となるよう垂直に直立し、上下両端が開口した円筒状の形態とされている。締付部２５の内周面及び外周面は、いずれも上下方向に沿って配置され、締付部２５の内径及び外径は、いずれも上下方向の全高に亘って一定とされている。端子本体２０がバッテリーポスト６０に正規に固定されると、締付部２５の内周面とバッテリーポスト６０の外周面とが同心円に沿って配置されるようになっている。図１に示すように、締付部２５の前端部には、上下方向に対して傾斜して開口する開口部３０が全高に亘って設けられ、開口部３０を挟んだ両側に、両突出部２６Ｌ、２６Ｒが配置されている。また、締付部２５の上下寸法（高さ寸法）は、バッテリーポスト６０の上下寸法よりも小さくされている。
【００１９】
締付部２５の下側の開口端は、バッテリーポスト６０の基端側の外周面に対して周方向に沿って当接可能な周端３８とされている（図１及び図２を参照）。ここで、バッテリーポスト６０の基端側とは、バッテリーポスト６０のうち、バッテリー本体６１寄りの部分のことであり、バッテリーポスト６０の下半部（バッテリーポスト６０の上下方向中央よりも下側の部分）のことをいう。本実施例の場合、締付部２５の周端３８は、バッテリーポスト６０のうち、バッテリー本体６１に一層近い部分である下端部６４の外周面に当接可能とされている。このため、締付部２５の周端３８の内径は、バッテリーポスト６０の下端部６４の外径に等しくなるように設定されている。
【００２０】
次に、本実施例の作用効果を説明する。
バッテリーポスト６０にバッテリー端子１０の端子本体２０を取り付けるに際し、拡開状態にある締付部２５がバッテリーポスト６０に上方から外嵌され、次いで、図示しないインパクトレンチ等によってナット９０が回転させられる。ナット９０がボルト８０の軸部８１にねじ込まれると、ボルト８０の頭部８２とナット９０との間に両突出部２６Ｌ、２６Ｒが挟持された状態で接近し、締付部２５が縮径するように変形していく。
【００２１】
縮径した締付部２５は、バッテリーポスト６０の下端部６４の外周面に、その周端３８を、周方向で導通可能に連続的に接触する線接触状態で当接させつつ緊密に保持される。これにより、バッテリー端子１０は、締付部２５を介してバッテリーポスト６０に導通可能に接続された状態で取り付け固定される。バッテリー端子１０がバッテリーポスト６０に取り付け固定された状態では、締付部２５のうちでバッテリーポスト６０の外周面に当接している部分は実質的に周端３８のみであり、締付部２５の周端３８以外の部分は、バッテリーポスト６０の外周面から離間している。具体的には、図２に示すように、締付部２５の内周面とバッテリーポスト６０の外周面とは、周端３８の当接位置から上方へ向けて次第に相互の離間距離を増大させるようになっている。
【００２２】
ところで、締付部２５が縮径する過程においては、ボルト８０の軸部８１の軸線方向がバッテリーポスト６０の軸線Ａの方向（上下方向）に対して斜めに設定されているため、両突出部２６Ｌ、２６Ｒが互いの相対位置を上下方向に位置ずれさせるように変位することがあり、これによって締付部２５が上下方向に不正にねじれ変形するおそれがある。この場合、図４に示すように、仮に、締付部２５Ｂがバッテリーポスト６０と同様に円錐台形に形成されていると、締付部２５Ｂが歪に変形してその円錐台形状を維持することができず、締付部２５Ｂのうち、上方に位置ずれする突出部に対応する側の部分がバッテリーポスト６０の外周面から離間するおそれがある。
【００２３】
その点、本実施例の場合、仮に、締付部２５が上下方向にねじれ変形したとしても、締付部２５が上下方向に沿って直立する形態になっているため、その直立形態を維持することができ、締付部２５の周端３８がバッテリーポスト６０の下端部６４の外周面に周方向に沿って当接する状態が維持される。よって、バッテリーポスト６０の下端部６４の外周面には、開口部３０と対応する部分を除いて、締付部２５の周端３８が周方向に切れ目なく線接触状態で当接することになる。その結果、バッテリーポスト６０に対して締付部２５が安定に保持されることとなり、バッテリーポスト６０に対するバッテリー端子１０の取り付けの信頼性を向上させることができる。
【００２４】
とくに、締付部２５の周端３８がバッテリーポスト６０の下端部６４の外周面に線接触状態で当接することから、バッテリーポスト６０に対する締付部２５の締付位置が周方向に沿った線状位置によって確定される。その結果、バッテリーポスト６０に対する締付部２５の締付状態にばらつきが生じにくく、ボルト８０とナット９０の締付トルクを一定に管理することができる。
【００２５】
＜他の実施例＞
以下、他の実施例を簡単に説明する。
（１）締付部は、厳密に垂直に直立する形態に限定されず、製造誤差等を考慮し、上下方向に対して僅かに傾斜する形態であってもよい。要は、締付部の周端のみがバッテリーポストの外周面に当接するような構成であればよい。
（２）締付部の周端は、バッテリーポストの外周面の上下方向中央よりもやや下方の部分に当接する構成であってもよい。
（３）締付部の周端は、バッテリーポストの外周面の最下端部に当接する構成であってもよい。
（４）締付部の上下両端の外縁等に、角落とし（面取り）が施されていてもよい。
（５）両突出部が上下方向に沿って配置され、ボルトとナットの締付方向が左右方向に設定されていてもよい。
【符号の説明】
【００２６】
Ａ…バッテリーポストの軸線
１０…バッテリー端子
２０…端子本体
２５…締付部
２６Ｌ…一側突出部（突出部）
２６Ｒ…他側突出部（突出部）
３８…周端
６０…バッテリーポスト
６４…バッテリーポストの下端部
８０…ボルト
９０…ナット
【図１】
2016126828.tif 000003
【図２】
2016126828.tif 000004
【図３】
2016126828.tif 000005
【図４】
2016126828.tif 000006